(57)【要約】【課題】コンテンツの転送において、音や映像の信号に基づいた探索を行い、その結果に基づいて著作権のチェックを行う。【解決手段】著作権確認装置１は、権利者が既知のコンテンツからなるデータベース中の前記コンテンツから導かれた特徴データである著作権確認データベース特徴を読み込む一方、著作権確認対象コンテンツを受信し、この受信した著作権確認対象コンテンツから特徴データを抽出する。そして、抽出された特徴データを用いて、著作権確認データベース特徴を探索し、同一の特徴を有するコンテンツが検出された場合には、著作権確認対象コンテンツを転送不可と判断し、検出されなかった場合は転送可と判断する。【選択図】図１
2008217572.tif 000002
【特許請求の範囲】
【請求項１】
コンテンツの著作権を確認して当該コンテンツの転送可否を判定する著作物権利確認方法であって、
著作物権利確認装置が、
権利者が既知のコンテンツからなるデータベース中の前記コンテンツから導かれた特徴データを読み込む著作権確認データベース特徴読込過程と、
著作権を確認する対象のコンテンツである著作権確認対象コンテンツを受信する著作権確認対象コンテンツ受信過程と、
前記著作権確認対象コンテンツ受信過程において受信した著作権確認対象コンテンツから特徴データを抽出する著作権確認対象特徴抽出過程と、
前記著作権確認対象特徴抽出過程において抽出された特徴データを用いて、前記著作権確認データベース特徴読込過程において読み込んだ特徴データを探索する著作権確認データベース探索過程と、
前記著作権確認データベース探索過程における探索結果に基づいて前記著作権確認対象コンテンツの転送の可否を判定するコンテンツ転送可否判定過程と、
前記コンテンツ転送可否判定過程において転送可と判定された場合に前記著作権確認対象コンテンツを送信する著作権確認対象コンテンツ送信過程と、
を有することを特徴とする著作物権利確認方法。
【請求項２】
コンテンツの著作権を確認して当該コンテンツの転送可否を判定する著作物権利確認方法であって、
コンテンツ転送装置が、
著作権を確認する対象のコンテンツである著作権確認対象コンテンツを受信する著作権確認対象コンテンツ受信過程と、
前記著作権確認対象コンテンツ受信過程において受信した著作権確認対象コンテンツから特徴データを抽出する著作権確認対象特徴抽出過程と、
前記著作権確認対象特徴抽出過程において抽出した特徴データを送信する著作権確認対象特徴送信過程と、
著作権確認装置が、
権利者が既知のコンテンツからなるデータベース中の前記コンテンツから導かれた特徴データを読み込む著作権確認データベース特徴読込過程と、
前記コンテンツ転送装置より、前記著作権確認対象コンテンツから抽出された特徴データを受信する著作権確認対象特徴受信過程と、
前記著作権確認対象特徴受信過程において受信した特徴データを用いて、前記著作権確認データベース特徴読込過程において読み込んだ特徴データを探索する著作権確認データベース探索過程と、
前記著作権確認データベース探索過程における探索結果に基づいて前記著作権確認対象コンテンツの転送の可否を判定するコンテンツ転送可否判定過程と、
前記コンテンツ転送可否判定過程において判定された転送可否の情報を前記コンテンツ転送装置へ送信する著作権確認対象コンテンツ転送可否情報送信過程と、
前記コンテンツ転送装置が、
前記著作権確認装置から転送可否の情報を受信するコンテンツ転送可否情報受信過程と、
前記コンテンツ転送可否情報受信過程において受信した情報が転送可を示す場合に前記著作権確認対象コンテンツを送信する著作権確認対象コンテンツ送信過程と、
を有することを特徴とする著作物権利確認方法。
【請求項３】
前記著作権確認装置が、
過去に探索したデータベースの内容を示す既探索コンテンツリストを受信する既探索コンテンツリスト受信過程と、
前記著作権確認データベース内のコンテンツの中から、前記既探索コンテンツリスト受信過程において受信した既探索コンテンツリストにより示されるコンテンツを除いて、探索が必要なコンテンツのリストを作成する要探索コンテンツリスト作成過程と、
前記既探索コンテンツリスト受信過程において受信した既探索コンテンツリストに、新たに探索したコンテンツを加えて当該既探索コンテンツリストを更新する既探索コンテンツリスト更新過程と、
前記既探索コンテンツリスト更新過程において更新した既探索コンテンツリストを送信する既探索コンテンツリスト送信過程と
を有し、
前記著作権確認データベース探索過程においては、前記要探索コンテンツリスト作成過程において作成したリストにより示される探索が必要なコンテンツの特徴データを、前記著作権確認対象特徴受信過程において受信した特徴データを用いて探索する、
ことを特徴とする請求項２に記載の著作物権利確認方法。
【請求項４】
コンテンツの著作権を確認して当該コンテンツの転送可否を判定する著作権確認装置と、前記著作権確認装置の判定に基づいてコンテンツを転送するコンテンツ転送装置とからなる著作物権利確認装置の前記コンテンツ転送装置に用いられる著作物権利確認方法であって、
前記コンテンツ転送装置が、
著作権を確認する対象のコンテンツである著作権確認対象コンテンツを受信する著作権確認対象コンテンツ受信過程と、
前記著作権確認対象コンテンツ受信過程において受信した著作権確認対象コンテンツから特徴データを抽出する著作権確認対象特徴抽出過程と、
前記著作権確認対象特徴抽出過程において抽出した特徴データを前記著作権確認装置へ送信する著作権確認対象特徴送信過程と、
権利者が既知のコンテンツからなるデータベース中の前記コンテンツから導かれた特徴データを、前記著作権確認対象特徴送信過程において送信した特徴データを用いて探索した結果に基づく転送可否の情報を前記著作権確認装置から受信するコンテンツ転送可否情報受信過程と、
前記コンテンツ転送可否情報受信過程において受信した情報が転送可を示す場合に前記著作権確認対象コンテンツを送信する著作権確認対象コンテンツ送信過程と、
を有することを特徴とする著作物権利確認方法。
【請求項５】
コンテンツの著作権を確認して当該コンテンツの転送可否を判定する著作権確認装置と、前記著作権確認装置の判定に基づいてコンテンツを転送するコンテンツ転送装置とからなる著作物権利確認装置の前記著作権確認装置に用いられる著作物権利確認方法であって、
前記著作権確認装置が、
権利者が既知のコンテンツからなるデータベース中の前記コンテンツから導かれた特徴データを読み込む著作権確認データベース特徴読込過程と、
前記コンテンツ転送装置より、著作権を確認する対象のコンテンツである著作権確認対象コンテンツから抽出された特徴データを受信する著作権確認対象特徴受信過程と、
前記著作権確認対象特徴受信過程において受信した特徴データを用いて、前記著作権確認データベース特徴読込過程において読み込んだ特徴データを探索する著作権確認データベース探索過程と、
前記著作権確認データベース探索過程における探索結果に基づいて前記著作権確認対象コンテンツの転送の可否を判定するコンテンツ転送可否判定過程と、
前記コンテンツ転送可否判定過程において判定された転送可否の情報を前記コンテンツ転送装置へ送信する著作権確認対象コンテンツ転送可否情報送信過程と、
を有することを特徴とする著作物権利確認方法。
【請求項６】
コンテンツの著作権を確認して当該コンテンツの転送可否を判定する著作物権利確認装置であって、
権利者が既知のコンテンツからなるデータベース中の前記コンテンツから導かれた特徴データを読み込む著作権確認データベース特徴読込部と、
著作権を確認する対象のコンテンツである著作権確認対象コンテンツを受信する著作権確認対象コンテンツ受信部と、
前記著作権確認対象コンテンツ受信部により受信した著作権確認対象コンテンツから特徴データを抽出する著作権確認対象特徴抽出部と、
前記著作権確認対象特徴抽出部により抽出された特徴データを用いて、前記著作権確認データベース特徴読込部により読み込んだ特徴データを探索する著作権確認データベース探索部と、
前記著作権確認データベース探索部による探索結果に基づいて前記著作権確認対象コンテンツの転送の可否を判定するコンテンツ転送可否判定部と、
前記コンテンツ転送可否判定部により転送可と判定された場合に前記著作権確認対象コンテンツを送信する著作権確認対象コンテンツ送信部と、
を備えることを特徴とする著作物権利確認装置。
【請求項７】
コンテンツの著作権を確認して当該コンテンツの転送可否を判定する著作権確認装置と、前記著作権確認装置の判定に基づいてコンテンツを転送するコンテンツ転送装置とからなる著作物権利確認装置であって、
前記コンテンツ転送装置は、
著作権を確認する対象のコンテンツである著作権確認対象コンテンツを受信する著作権確認対象コンテンツ受信部と、
前記著作権確認対象コンテンツ受信部により受信した著作権確認対象コンテンツから特徴データを抽出する著作権確認対象特徴抽出部と、
前記著作権確認対象特徴抽出部により抽出した特徴データを前記著作権確認装置へ送信する著作権確認対象特徴送信部と、
前記著作権確認対象特徴送信部により送信した特徴データに対応して転送可否の情報を受信するコンテンツ転送可否情報受信部と、
前記コンテンツ転送可否情報受信部により受信した情報が転送可を示す場合に前記著作権確認対象コンテンツを送信する著作権確認対象コンテンツ送信部と
を備え、
前記著作権確認装置は、
権利者が既知のコンテンツからなるデータベース中の前記コンテンツから導かれた特徴データを読み込む著作権確認データベース特徴読込部と、
前記コンテンツ転送装置より、前記著作権確認対象コンテンツから抽出された特徴データを受信する著作権確認対象特徴受信部と、
前記著作権確認対象特徴受信部により受信した特徴データを用いて、前記著作権確認データベース特徴読込部により読み込んだ特徴データを探索する著作権確認データベース探索部と、
前記著作権確認データベース探索部による探索結果に基づいて前記著作権確認対象コンテンツの転送の可否を判定するコンテンツ転送可否判定部と、
前記コンテンツ転送可否判定部により判定された転送可否の情報を前記コンテンツ転送装置へ送信する著作権確認対象コンテンツ転送可否情報送信部と
を備える、
ことを有することを特徴とする著作物権利確認装置。
【請求項８】
前記著作権確認装置は、
過去に探索したデータベースの内容を示す既探索コンテンツリストを受信する既探索コンテンツリスト受信部と、
前記著作権確認データベース内のコンテンツの中から、前記既探索コンテンツリスト受信部により受信した既探索コンテンツリストにより示されるコンテンツを除いて、探索が必要なコンテンツのリストを作成する要探索コンテンツリスト作成部と、
前記既探索コンテンツリスト受信部により受信した既探索コンテンツリストに、新たに探索したコンテンツを加えて当該既探索コンテンツリストを更新する既探索コンテンツリスト更新部と、
前記既探索コンテンツリスト更新部により更新した既探索コンテンツリストを送信する既探索コンテンツリスト送信部と
をさらに備え、
前記著作権確認データベース探索部は、前記要探索コンテンツリスト作成部により作成されたリストにより示される探索が必要なコンテンツの特徴データを、前記著作権確認対象特徴受信部により受信した特徴データを用いて探索する、
ことを特徴とする請求項７に記載の著作物権利確認装置。
【請求項９】
コンテンツの著作権を確認して当該コンテンツの転送可否を判定する著作物権利確認装置として用いられるコンピュータに、
権利者が既知のコンテンツからなるデータベース中の前記コンテンツから導かれた特徴データを読み込む著作権確認データベース特徴読込ステップと、
著作権を確認する対象のコンテンツである著作権確認対象コンテンツを受信する著作権確認対象コンテンツ受信ステップと、
前記著作権確認対象コンテンツ受信ステップにおいて受信した著作権確認対象コンテンツから特徴データを抽出する著作権確認対象特徴抽出ステップと、
前記著作権確認対象特徴抽出ステップにおいて抽出された特徴データを用いて、前記著作権確認データベース特徴読込ステップにおいて読み込んだ特徴データを探索する著作権確認データベース探索ステップと、
前記著作権確認データベース探索ステップにおける探索結果に基づいて前記著作権確認対象コンテンツの転送の可否を判定するコンテンツ転送可否判定ステップと、
前記コンテンツ転送可否判定ステップにおいて転送可と判定された場合に前記著作権確認対象コンテンツを送信する著作権確認対象コンテンツ送信ステップと、
を実行させることを特徴とするプログラム。
【請求項１０】
コンテンツの著作権を確認して当該コンテンツの転送可否を判定する著作権確認装置と、前記著作権確認装置の判定に基づいてコンテンツを転送するコンテンツ転送装置とからなる著作物権利確認装置における前記コンテンツ転送装置として用いられるコンピュータに、
著作権を確認する対象のコンテンツである著作権確認対象コンテンツを受信する著作権確認対象コンテンツ受信ステップと、
前記著作権確認対象コンテンツ受信ステップにおいて受信した著作権確認対象コンテンツから特徴データを抽出する著作権確認対象特徴抽出ステップと、
前記著作権確認対象特徴抽出ステップにおいて抽出した特徴データを前記著作権確認装置へ送信する著作権確認対象特徴送信ステップと、
権利者が既知のコンテンツからなるデータベース中の前記コンテンツから導かれた特徴データを、前記著作権確認対象特徴送信ステップにおいて送信した特徴データを用いて探索した結果に基づく転送可否の情報を著作権確認装置から受信するコンテンツ転送可否情報受信ステップと、
前記コンテンツ転送可否情報受信ステップにおいて受信した情報が転送可を示す場合に前記著作権確認対象コンテンツを送信する著作権確認対象コンテンツ送信ステップと、
を実行させることを特徴とするプログラム。
【請求項１１】
コンテンツの著作権を確認して当該コンテンツの転送可否を判定する著作権確認装置と、前記著作権確認装置の判定に基づいてコンテンツを転送するコンテンツ転送装置とからなる著作物権利確認装置における前記著作権確認装置として用いられるコンピュータに、
権利者が既知のコンテンツからなるデータベース中の前記コンテンツから導かれた特徴データを読み込む著作権確認データベース特徴読込ステップと、
前記コンテンツ転送装置より、著作権を確認する対象のコンテンツである著作権確認対象コンテンツから抽出された特徴データを受信する著作権確認対象特徴受信ステップと、
前記著作権確認対象特徴受信ステップにおいて受信した特徴データを用いて、前記著作権確認データベース特徴読込ステップにおいて読み込んだ特徴データを探索する著作権確認データベース探索ステップと、
前記著作権確認データベース探索ステップにおける探索結果に基づいて前記著作権確認対象コンテンツの転送の可否を判定するコンテンツ転送可否判定ステップと、
前記コンテンツ転送可否判定ステップにおいて判定された転送可否の情報を前記コンテンツ転送装置へ送信する著作権確認対象コンテンツ転送可否情報送信ステップと、
を実行させることを特徴とするプログラム。
【請求項１２】
請求項９から請求項１１のいずれかの項に記載のプログラムを記録したコンピュータ読み取り可能な記録媒体。
【発明の詳細な説明】
【技術分野】
【０００１】
本発明は、音・映像メディアを含むコンテンツを使用する権利をユーザーが有するかどうかを、コンテンツの特徴データを探索した結果に基づいて判定する著作物権利確認方法、装置、プログラム及びそのプログラムを記録した記録媒体に関する。
【背景技術】
【０００２】
従来、著作権確認方法に関しては、著作権保護管理端末からコンテンツの利用の許諾があった場合に、コンテンツ利用時のコンテンツ利用条件のチェックを行って、条件を満たす場合にのみ当該コンテンツを利用可能にする方法（例えば、特許文献１）のように、カプセル制御に基づく方法が知られている。しかし、この方法では、コンテンツの再生時にスクリーンキャプチャを行う方法でダビングされたコンテンツでは、コンテンツの利用条件が取り除かれてしまい、チェックを回避されてしまうという欠点があった。
【特許文献１】特開２００３−２５６５９６号公報
【発明の開示】
【発明が解決しようとする課題】
【０００３】
近年、GnutellやNapster（登録商標）などのPeer to Peer(Ｐ２Ｐ)モデルを用いたファイル共有ネットワークにおいて、著作権を無視して、コンテンツ転送装置プログラム同士の間で市販ソフトや音楽・映像コンテンツなどがネットワーク経由でやり取りされるなど、著作権が管理されない状態が続いている。それにより、音や映像に関する多くの違法データが流出し、著作権管理団体などから問題視されている。
【０００４】
本発明は、このような事情に鑑みてなされたものであり、上述したような違法なデータの流出を防ぐために、コンテンツの転送において、音や映像の信号に基づいた探索を行い、その結果に基づいて著作権のチェックを行うことができる著作物権利確認方法、装置、プログラム及びそのプログラムを記録した記録媒体を提供することをその目的とする。
【課題を解決するための手段】
【０００５】
上記課題を解決するため、本発明は、コンテンツの著作権を確認して当該コンテンツの転送可否を判定する著作物権利確認方法であって、著作物権利確認装置が、権利者が既知のコンテンツからなるデータベース中の前記コンテンツから導かれた特徴データを読み込む著作権確認データベース特徴読込過程と、著作権を確認する対象のコンテンツである著作権確認対象コンテンツを受信する著作権確認対象コンテンツ受信過程と、前記著作権確認対象コンテンツ受信過程において受信した著作権確認対象コンテンツから特徴データを抽出する著作権確認対象特徴抽出過程と、前記著作権確認対象特徴抽出過程において抽出された特徴データを用いて、前記著作権確認データベース特徴読込過程において読み込んだ特徴データを探索する著作権確認データベース探索過程と、前記著作権確認データベース探索過程における探索結果に基づいて前記著作権確認対象コンテンツの転送の可否を判定するコンテンツ転送可否判定過程と、前記コンテンツ転送可否判定過程において転送可と判定された場合に前記著作権確認対象コンテンツを送信する著作権確認対象コンテンツ送信過程と、を有することを特徴とする著作物権利確認方法である。
特に、著作権保護管理端末からコンテンツの利用の許諾があった場合に、コンテンツ利用時のコンテンツ利用条件のチェックを行って、条件を満たす場合にのみ当該コンテンツを利用可能にする方法（特許文献１）に比べて、本発明では、コンテンツの信号から導き出された特徴データに基づいて探索し、権利者が既知のコンテンツと同一であるかどうかを判定することで、コンテンツを転送することが可能であるかどうかを判定することを可能とした点が発明の主眼である。
【０００６】
また本発明は、コンテンツの著作権を確認して当該コンテンツの転送可否を判定する著作物権利確認方法であって、コンテンツ転送装置が、著作権を確認する対象のコンテンツである著作権確認対象コンテンツを受信する著作権確認対象コンテンツ受信過程と、前記著作権確認対象コンテンツ受信過程において受信した著作権確認対象コンテンツから特徴データを抽出する著作権確認対象特徴抽出過程と、前記著作権確認対象特徴抽出過程において抽出した特徴データを送信する著作権確認対象特徴送信過程と、著作権確認装置が、権利者が既知のコンテンツからなるデータベース中の前記コンテンツから導かれた特徴データを読み込む著作権確認データベース特徴読込過程と、前記コンテンツ転送装置より、前記著作権確認対象コンテンツから抽出された特徴データを受信する著作権確認対象特徴受信過程と、前記著作権確認対象特徴受信過程において受信した特徴データを用いて、前記著作権確認データベース特徴読込過程において読み込んだ特徴データを探索する著作権確認データベース探索過程と、前記著作権確認データベース探索過程における探索結果に基づいて前記著作権確認対象コンテンツの転送の可否を判定するコンテンツ転送可否判定過程と、前記コンテンツ転送可否判定過程において判定された転送可否の情報を前記コンテンツ転送装置へ送信する著作権確認対象コンテンツ転送可否情報送信過程と、前記コンテンツ転送装置が、前記著作権確認装置から転送可否の情報を受信するコンテンツ転送可否情報受信過程と、前記コンテンツ転送可否情報受信過程において受信した情報が転送可を示す場合に前記著作権確認対象コンテンツを送信する著作権確認対象コンテンツ送信過程と、を有することを特徴とする著作物権利確認方法である。
【０００７】
また本発明は、上述する著作物権利確認方法であって、前記著作権確認装置が、過去に探索したデータベースの内容を示す既探索コンテンツリストを受信する既探索コンテンツリスト受信過程と、前記著作権確認データベース内のコンテンツの中から、前記既探索コンテンツリスト受信過程において受信した既探索コンテンツリストにより示されるコンテンツを除いて、探索が必要なコンテンツのリストを作成する要探索コンテンツリスト作成過程と、前記既探索コンテンツリスト受信過程において受信した既探索コンテンツリストに、新たに探索したコンテンツを加えて当該既探索コンテンツリストを更新する既探索コンテンツリスト更新過程と、前記既探索コンテンツリスト更新過程において更新した既探索コンテンツリストを送信する既探索コンテンツリスト送信過程とを有し、前記著作権確認データベース探索過程においては、前記要探索コンテンツリスト作成過程において作成したリストにより示される探索が必要なコンテンツの特徴データを、前記著作権確認対象特徴受信過程において受信した特徴データを用いて探索する、ことを特徴とする。
【０００８】
また本発明は、コンテンツの著作権を確認して当該コンテンツの転送可否を判定する著作権確認装置と、前記著作権確認装置の判定に基づいてコンテンツを転送するコンテンツ転送装置とからなる著作物権利確認装置の前記コンテンツ転送装置に用いられる著作物権利確認方法であって、前記コンテンツ転送装置が、著作権を確認する対象のコンテンツである著作権確認対象コンテンツを受信する著作権確認対象コンテンツ受信過程と、前記著作権確認対象コンテンツ受信過程において受信した著作権確認対象コンテンツから特徴データを抽出する著作権確認対象特徴抽出過程と、前記著作権確認対象特徴抽出過程において抽出した特徴データを前記著作権確認装置へ送信する著作権確認対象特徴送信過程と、権利者が既知のコンテンツからなるデータベース中の前記コンテンツから導かれた特徴データを、前記著作権確認対象特徴送信過程において送信した特徴データを用いて探索した結果に基づく転送可否の情報を前記著作権確認装置から受信するコンテンツ転送可否情報受信過程と、前記コンテンツ転送可否情報受信過程において受信した情報が転送可を示す場合に前記著作権確認対象コンテンツを送信する著作権確認対象コンテンツ送信過程と、を有することを特徴とする著作物権利確認方法である。
【０００９】
また、本発明は、コンテンツの著作権を確認して当該コンテンツの転送可否を判定する著作権確認装置と、前記著作権確認装置の判定に基づいてコンテンツを転送するコンテンツ転送装置とからなる著作物権利確認装置の前記著作権確認装置に用いられる著作物権利確認方法であって、前記著作権確認装置が、権利者が既知のコンテンツからなるデータベース中の前記コンテンツから導かれた特徴データを読み込む著作権確認データベース特徴読込過程と、前記コンテンツ転送装置より、著作権を確認する対象のコンテンツである著作権確認対象コンテンツから抽出された特徴データを受信する著作権確認対象特徴受信過程と、前記著作権確認対象特徴受信過程において受信した特徴データを用いて、前記著作権確認データベース特徴読込過程において読み込んだ特徴データを探索する著作権確認データベース探索過程と、前記著作権確認データベース探索過程における探索結果に基づいて前記著作権確認対象コンテンツの転送の可否を判定するコンテンツ転送可否判定過程と、前記コンテンツ転送可否判定過程において判定された転送可否の情報を前記コンテンツ転送装置へ送信する著作権確認対象コンテンツ転送可否情報送信過程と、を有することを特徴とする著作物権利確認方法である。
【００１０】
また、本発明は、コンテンツの著作権を確認して当該コンテンツの転送可否を判定する著作物権利確認装置であって、権利者が既知のコンテンツからなるデータベース中の前記コンテンツから導かれた特徴データを読み込む著作権確認データベース特徴読込部と、著作権を確認する対象のコンテンツである著作権確認対象コンテンツを受信する著作権確認対象コンテンツ受信部と、前記著作権確認対象コンテンツ受信部により受信した著作権確認対象コンテンツから特徴データを抽出する著作権確認対象特徴抽出部と、前記著作権確認対象特徴抽出部により抽出された特徴データを用いて、前記著作権確認データベース特徴読込部により読み込んだ特徴データを探索する著作権確認データベース探索部と、前記著作権確認データベース探索部による探索結果に基づいて前記著作権確認対象コンテンツの転送の可否を判定するコンテンツ転送可否判定部と、前記コンテンツ転送可否判定部により転送可と判定された場合に前記著作権確認対象コンテンツを送信する著作権確認対象コンテンツ送信部と、を備えることを特徴とする著作物権利確認装置である。
【００１１】
また、本発明は、コンテンツの著作権を確認して当該コンテンツの転送可否を判定する著作権確認装置と、前記著作権確認装置の判定に基づいてコンテンツを転送するコンテンツ転送装置とからなる著作物権利確認装置であって、前記コンテンツ転送装置は、著作権を確認する対象のコンテンツである著作権確認対象コンテンツを受信する著作権確認対象コンテンツ受信部と、前記著作権確認対象コンテンツ受信部により受信した著作権確認対象コンテンツから特徴データを抽出する著作権確認対象特徴抽出部と、前記著作権確認対象特徴抽出部により抽出した特徴データを前記著作権確認装置へ送信する著作権確認対象特徴送信部と、前記著作権確認対象特徴送信部により送信した特徴データに対応して転送可否の情報を受信するコンテンツ転送可否情報受信部と、前記コンテンツ転送可否情報受信部により受信した情報が転送可を示す場合に前記著作権確認対象コンテンツを送信する著作権確認対象コンテンツ送信部とを備え、前記著作権確認装置は、権利者が既知のコンテンツからなるデータベース中の前記コンテンツから導かれた特徴データを読み込む著作権確認データベース特徴読込部と、前記コンテンツ転送装置より、前記著作権確認対象コンテンツから抽出された特徴データを受信する著作権確認対象特徴受信部と、前記著作権確認対象特徴受信部により受信した特徴データを用いて、前記著作権確認データベース特徴読込部により読み込んだ特徴データを探索する著作権確認データベース探索部と、前記著作権確認データベース探索部による探索結果に基づいて前記著作権確認対象コンテンツの転送の可否を判定するコンテンツ転送可否判定部と、前記コンテンツ転送可否判定部により判定された転送可否の情報を前記コンテンツ転送装置へ送信する著作権確認対象コンテンツ転送可否情報送信部とを備える、ことを有することを特徴とする著作物権利確認装置である。
【００１２】
また、本発明は、上述する著作物権利確認装置であって、前記著作権確認装置は、過去に探索したデータベースの内容を示す既探索コンテンツリストを受信する既探索コンテンツリスト受信部と、前記著作権確認データベース内のコンテンツの中から、前記既探索コンテンツリスト受信部により受信した既探索コンテンツリストにより示されるコンテンツを除いて、探索が必要なコンテンツのリストを作成する要探索コンテンツリスト作成部と、前記既探索コンテンツリスト受信部により受信した既探索コンテンツリストに、新たに探索したコンテンツを加えて当該既探索コンテンツリストを更新する既探索コンテンツリスト更新部と、前記既探索コンテンツリスト更新部により更新した既探索コンテンツリストを送信する既探索コンテンツリスト送信部とをさらに備え、前記著作権確認データベース探索部は、前記要探索コンテンツリスト作成部により作成されたリストにより示される探索が必要なコンテンツの特徴データを、前記著作権確認対象特徴受信部により受信した特徴データを用いて探索する、ことを特徴とする。
【００１３】
また、本発明は、コンテンツの著作権を確認して当該コンテンツの転送可否を判定する著作物権利確認装置として用いられるコンピュータに、権利者が既知のコンテンツからなるデータベース中の前記コンテンツから導かれた特徴データを読み込む著作権確認データベース特徴読込ステップと、著作権を確認する対象のコンテンツである著作権確認対象コンテンツを受信する著作権確認対象コンテンツ受信ステップと、前記著作権確認対象コンテンツ受信ステップにおいて受信した著作権確認対象コンテンツから特徴データを抽出する著作権確認対象特徴抽出ステップと、前記著作権確認対象特徴抽出ステップにおいて抽出された特徴データを用いて、前記著作権確認データベース特徴読込ステップにおいて読み込んだ特徴データを探索する著作権確認データベース探索ステップと、前記著作権確認データベース探索ステップにおける探索結果に基づいて前記著作権確認対象コンテンツの転送の可否を判定するコンテンツ転送可否判定ステップと、前記コンテンツ転送可否判定ステップにおいて転送可と判定された場合に前記著作権確認対象コンテンツを送信する著作権確認対象コンテンツ送信ステップと、を実行させることを特徴とするプログラムである。
【００１４】
また、本発明は、コンテンツの著作権を確認して当該コンテンツの転送可否を判定する著作権確認装置と、前記著作権確認装置の判定に基づいてコンテンツを転送するコンテンツ転送装置とからなる著作物権利確認装置における前記コンテンツ転送装置として用いられるコンピュータに、著作権を確認する対象のコンテンツである著作権確認対象コンテンツを受信する著作権確認対象コンテンツ受信ステップと、前記著作権確認対象コンテンツ受信ステップにおいて受信した著作権確認対象コンテンツから特徴データを抽出する著作権確認対象特徴抽出ステップと、前記著作権確認対象特徴抽出ステップにおいて抽出した特徴データを前記著作権確認装置へ送信する著作権確認対象特徴送信ステップと、権利者が既知のコンテンツからなるデータベース中の前記コンテンツから導かれた特徴データを、前記著作権確認対象特徴送信ステップにおいて送信した特徴データを用いて探索した結果に基づく転送可否の情報を著作権確認装置から受信するコンテンツ転送可否情報受信ステップと、前記コンテンツ転送可否情報受信ステップにおいて受信した情報が転送可を示す場合に前記著作権確認対象コンテンツを送信する著作権確認対象コンテンツ送信ステップと、を実行させることを特徴とするプログラムである。
【００１５】
また、本発明は、コンテンツの著作権を確認して当該コンテンツの転送可否を判定する著作権確認装置と、前記著作権確認装置の判定に基づいてコンテンツを転送するコンテンツ転送装置とからなる著作物権利確認装置における前記著作権確認装置として用いられるコンピュータに、権利者が既知のコンテンツからなるデータベース中の前記コンテンツから導かれた特徴データを読み込む著作権確認データベース特徴読込ステップと、前記コンテンツ転送装置より、著作権を確認する対象のコンテンツである著作権確認対象コンテンツから抽出された特徴データを受信する著作権確認対象特徴受信ステップと、前記著作権確認対象特徴受信ステップにおいて受信した特徴データを用いて、前記著作権確認データベース特徴読込ステップにおいて読み込んだ特徴データを探索する著作権確認データベース探索ステップと、前記著作権確認データベース探索ステップにおける探索結果に基づいて前記著作権確認対象コンテンツの転送の可否を判定するコンテンツ転送可否判定ステップと、前記コンテンツ転送可否判定ステップにおいて判定された転送可否の情報を前記コンテンツ転送装置へ送信する著作権確認対象コンテンツ転送可否情報送信ステップと、を実行させることを特徴とするプログラムである。
【００１６】
また、本発明は、上述するプログラムを記録したコンピュータ読み取り可能な記録媒体である。
【発明の効果】
【００１７】
本発明によれば、著作権確認装置が音や映像の信号を探索し著作権データベース中に同一のコンテンツがあるかどうかを確認してコンテンツの違法性をチェックすることにより、インターネットでウェブやメールを通じて交換されるファイルが適正なデータであることを確認することができる。このようなチェックを行うことで、キーワード検索の際に中身とはまったく関係のない名称に変えることで検索されることを免れてきた違法な音・映像のファイルも漏れなく検出することができ、インターネット上のウェブやメールを通じて交換されるファイルがオリジナルコンテンツであり権利侵害性がないことを確認し流通させることができる。特に著作権が管理されないことで問題となってきたＰ２Ｐによるファイル交換を管理することができる。また電子透かしによってデータを特定する場合は、ダビングを重ねることで電子透かしが失われてしまい、著作権侵害に該当するデータの特定ができないという問題点があったのに対して、メディア探索の技術を用いた音の照合による不正データの特定では、ダビングによる磨耗といった問題点がないので、一定の精度を保つことができる。また、既に探索したコンテンツのリストを作成しながら、コンテンツを転送し、そのリストを除くコンテンツのみを探索して著作権のチェックを行うことで、効果的な著作権チェックを行うことが可能となる。
【発明を実施するための最良の形態】
【００１８】
以下、図面を参照して本発明の実施の形態を説明する。
【００１９】
［第一の実施形態］
第一の実施形態では、コンテンツの著作権確認と転送をピア・ツー・ピア（Ｐ２Ｐ）のノード内において行うものである。
図１は、本発明の第一の実施形態による著作物権利確認装置としての著作権確認装置１の機能ブロック図である。第一の実施形態の著作権確認装置１は、Ｐ２Ｐのノードであり、著作権確認データベース特徴読込部１１と、著作権確認対象コンテンツ受信部１２と、著作権確認対象特徴抽出部１３と、著作権確認データベース探索部１４と、コンテンツ転送可否判定部１５と、著作権確認対象コンテンツ送信部１６とで構成され、著作権確認データベース特徴および著作権を確認する対象のコンテンツを入力として著作権を確認し、転送可能と判断した著作権確認対象コンテンツを他のＰ２Ｐのノード（他の著作権確認装置１）へ出力する。ここでいうコンテンツとは、音や映像メディアを含むファイルであり、音のファイルとしては、例えば、ＭＩＤＩ（Musical Instrument Digital Interface）、Ｗａｖｅ、ＡＵ、ＡＩＦＥ、ＭＰ３（MPEG-1 Audio Layer-3）がある。
【００２０】
著作権確認データベース特徴読込部１１は、権利者が既知のコンテンツ、すなわち、著作権を保護すべきコンテンツからなるデータベース中のコンテンツから導かれた、当該各コンテンツの特徴データである著作権確認データベース特徴を読み込む。著作権確認対象コンテンツ受信部１２は、著作権を確認する対象のコンテンツ（著作権確認対象コンテンツ）を受信する。著作権確認対象特徴抽出部１３は、著作権確認対象コンテンツ受信部１２が受信した著作権確認対象コンテンツから導かれた当該コンテンツの特徴データを抽出する。著作権確認データベース探索部１４は、著作権確認対象特徴抽出部１３が抽出した特徴データを用いて前記著作権確認データベース特徴中の該当特徴データを探索する。コンテンツ転送可否判定部１５は、著作権確認データベース探索部１４による探索結果に基づいてコンテンツの転送の可否を判定する。著作権確認対象コンテンツ送信部１６は、コンテンツ転送可否判定部１５による転送可否に基づいてコンテンツを送信する。
【００２１】
次に、上述した著作権確認データベース特徴読込部１１〜著作権確認対象コンテンツ送信部１６における処理を具体的に説明する。図２は、図１に示す本実施形態による著作権確認装置１の動作を示すフローチャートである。
【００２２】
著作権確認装置１の著作権確認データベース特徴読込部１１では、権利者が既知のコンテンツからなるデータベースを備えるサーバなどの外部の装置から、当該データベース内のコンテンツから導かれた著作権確認データベース特徴を読み込み（ステップＳ１００）、待機する（ステップＳ１１０）。なお、本実施形態及び後述する第二、第三の実施形態の著作権確認データベース特徴として利用する特徴データは、特許第３０６５３１４号に示される特徴抽出方法により抽出された特徴データを利用する。なお、この文献に示される特徴抽出手法以外の手法を用いるようにしてもよい。
【００２３】
著作権確認対象コンテンツ受信部１２では、待機状態において、著作権確認対象コンテンツを転送したいクライアントプログラムまたは外部の装置より受信する（ステップＳ１２０）。著作権確認対象特徴抽出部１３では、ステップＳ１２０において受信した著作権確認対象コンテンツより、当該著作権確認対象コンテンツの特徴を示す特徴データである著作権確認対象特徴を抽出する（ステップＳ１３０）。なお、本実施形態及び後述する第二、第三の実施形態における著作権確認対象特徴は、前述の著作権確認データベース特徴と同様に、特許第３０６５３１４号に示される特徴抽出方法により抽出された特徴データを利用する。なお、この文献に示される特徴抽出手法以外の手法を用いるようにしてもよい。
【００２４】
特許第３０６５３１４号においては、予め登録された音響信号である参照信号（本実施の形態における著作権確認データベース特徴に相当）について特徴量系列を生成する一方、入力された音響信号である入力信号（本実施の形態における著作権確認対象特徴に相当）に対して、一定時間長の入力信号注目窓を設定し、この入力信号注目窓内の入力信号について特徴量系列を生成する。そして、参照信号から生成された特徴量系列と入力信号から生成された特徴量系列との類似度合いを示す入力信号類似値を計算し、さらに、この計算された入力信号類似値に基づいて、入力信号注目窓を移動できる量を示す移動可能量を計算し、この計算された移動可能量に基づいて、入力信号注目窓の位置を決定し、その位置に該入力信号注目窓を設定する。新たな入力信号注目窓を用いて同様の処理を繰り返すことによって、入力信号注目窓の各位置について、入力信号類似値を計算し、入力信号類似値と予め設定された閾値との比較結果に基づいて、入力信号上において入力信号注目窓が現在示す位置に参照信号が存在するか否かを判定している。
なお、照合する参照信号を著作権確認データベース特徴から部分的に切り出して（例えば、１５秒の断片を５秒間隔で切り出すなど）探索することで、より詳細に探索を行うことができる。
また、参照信号を本実施の形態における著作権確認対象特徴とし、入力信号を本実施の形態における著作権確認データベース特徴として上記処理を行うことでもよい。
また、音響信号の代わりに映像信号を用いてもよい。
なお、この文献に示される高速探索手法以外の手法を用いるようにしてもよい。
【００２５】
著作権確認データベース探索部１４では、ステップＳ１３０において抽出された著作権確認対象特徴を用いて、著作権確認データベース特徴中の特徴データを探索し、同一の特徴を有する、すなわち、同一のコンテンツが存在するかどうか検出する（ステップＳ１４０）。コンテンツ転送可否判定部１５では、ステップＳ１４０において検出されたコンテンツがあれば、他に著作権者がいるものとみなし、コンテンツ転送可否情報に転送不可を記述して（ステップＳ１５０、Ｓ１６０：ＮＯ）、待機状態に戻り（ステップＳ１１０）、検出されなければ、コンテンツ転送可否情報に転送可を記述して次のステップへ進む（ステップＳ１５０、Ｓ１６０：ＹＥＳ）。コンテンツ転送可の場合（ステップＳ１６０：ＹＥＳ）、著作権確認対象コンテンツ送信部１６では、あらかじめ設定された他のコンテンツ転送装置へ著作権確認対象コンテンツを送信し（ステップＳ１７０）、待機の状態に戻る（ステップＳ１１０）。
【００２６】
上述するように、著作権確認装置１では、受信した著作権確認対象コンテンツのコンテンツ転送可否情報が転送可であれば、あらかじめ送信先として設定された他のコンテンツ転送装置（Ｐ２Ｐのノード）へ著作権確認対象コンテンツを送信して次の著作権確認対象コンテンツの受信を待ち受ける待機の状態に戻り、また、転送不可であればそのまま待機状態に戻る。
以上によりコンテンツの著作権を確認しながらコンテンツを転送することが可能となる。
【００２７】
［第二の実施形態］
前述の第一の実施形態では、著作権確認とコンテンツ転送を常に同一の著作権確認装置１で行うために、ネットワーク上でコンテンツ転送を行う場合、権利確認のためのデータベースを全てのコンテンツ転送装置で持たなければならないという問題がある。そこで、第二の実施形態では、著作権確認とコンテンツの転送を別々の装置で実行する。
【００２８】
図３は、本実施形態による著作物権利確認装置の構成図である。
同図において、コンテンツ転送装置３としてのコンテンツ転送装置３ａ、３ｂ、３ｃはＰ２Ｐの各ノードであり、コンテンツ転送装置３ｂは、著作権確認装置２、コンテンツの転送元であるコンテンツ転送装置３ａ、及び、コンテンツの転送先であるコンテンツ転送装置３ｃと接続される。コンテンツ転送装置３ｂは、著作権確認装置２へ、コンテンツ転送装置３ａから受信したコンテンツの権利確認対象特徴（著作権確認対象特徴）を送信して転送可否を問い合わせ、権利確認対象コンテンツの送信可否情報の返送を受け、送信可であれば、コンテンツ転送装置３ｃへ転送する。
【００２９】
図４は、本実施形態による著作権確認装置２及びコンテンツ転送装置３の構成を示す機能ブロック図である。
著作権確認装置２は、著作権確認データベース特徴読込部２１と、著作権確認対象特徴受信部２２と、著作権確認データベース探索部２３と、コンテンツ転送可否判定部２４と、著作権確認対象コンテンツ転送可否情報送信部２５とで構成され、著作権確認データベース特徴および著作権を確認する対象のコンテンツから抽出された特徴データを入力とし、コンテンツ転送可否情報を出力する。
【００３０】
コンテンツ転送装置３は、著作権確認対象コンテンツ受信部３１と、著作権確認対象特徴抽出部３２と、著作権確認対象特徴送信部３３と、コンテンツ転送可否情報受信部３４と、著作権確認対象コンテンツ送信部３５とで構成され、著作権を確認する対象のコンテンツおよびコンテンツ転送可否情報を入力とし、著作権を確認する対象のコンテンツから抽出された特徴データおよび著作権確認対象コンテンツを出力する。
【００３１】
著作権確認装置２の著作権確認データベース特徴読込部２１は、権利者が既知のコンテンツからなるデータベース中のコンテンツから導かれた、当該コンテンツの特徴データである著作権確認データベース特徴を読み込む。著作権確認対象特徴受信部２２は、著作権を確認する対象のコンテンツから導かれた当該コンテンツの特徴データを受信する。著作権確認データベース探索部２３は、著作権確認対象特徴受信部２２により受信した前記特徴データを用いて、著作権確認データベース特徴読込部２１が読み込んだ著作権確認データベース特徴中の該当特徴データを探索する。コンテンツ転送可否判定部２４は、著作権確認データベース探索部２３による探索結果に基づいて著作権確認対象コンテンツの転送の可否を判定する。著作権確認対象コンテンツ転送可否情報送信部２５は、コンテンツ転送可否判定部２４が判定した転送可否を送信する。
【００３２】
コンテンツ転送装置３の著作権確認対象コンテンツ受信部３１は、著作権を確認する対象のコンテンツを受信する。著作権確認対象特徴抽出部３２は、著作権確認対象コンテンツ受信部３１により受信した著作権確認対象コンテンツから導かれた、当該コンテンツの特徴データである著作権確認対象特徴データを抽出する。著作権確認対象特徴送信部３３は、著作権確認対象特徴抽出部３２が抽出した著作権確認対象特徴データを著作権確認装置２へ送信する。コンテンツ転送可否情報受信部３４は、著作権確認装置２からコンテンツ転送可否情報を受信する。著作権確認対象コンテンツ送信部３５は、コンテンツ転送可否情報受信部３４が受信した転送可否情報に基づいてコンテンツを送信する。
【００３３】
次に、上述した著作権確認装置２の著作権確認データベース特徴読込部２１〜著作権確認対象コンテンツ転送可否情報送信部２５およびコンテンツ転送装置３の著作権確認対象コンテンツ受信部３１〜著作権確認対象コンテンツ送信部３５における処理を具体的に説明する。図５は、本実施形態における著作権確認装置２の動作を示すフローチャート、図６は、本実施形態におけるコンテンツ転送装置３の動作を示すフローチャートである。
【００３４】
図５において、著作権確認装置２の著作権確認データベース特徴読込部２１では、権利者が既知のコンテンツからなるデータベースを備えるサーバなどから、当該コンテンツから導かれた著作権確認データベース特徴を読み込み（ステップＳ２００）、待機する（ステップＳ２１０）。
【００３５】
著作権確認対象特徴受信部２２では、待機状態において、著作権を確認する対象のコンテンツである著作権確認対象コンテンツの著作権確認対象特徴をコンテンツ転送装置３より受信する（ステップＳ２２０）。著作権確認データベース探索部２３では、ステップＳ２２０において受信した著作権確認対象特徴を用い、ステップＳ２００において読み込んだ著作権確認データベース特徴中の特徴データを探索し、同一の特徴を有する、すなわち、同一のコンテンツが存在するかどうか検出する（ステップＳ２３０）。コンテンツ転送可否判定部２４では。検出されたコンテンツがあれば、他に著作権者がいるものとみなし、転送不可を示すコンテンツ転送可否情報を記述し、検出されなければ、転送可を示すコンテンツ転送可否情報を記述する（ステップＳ２４０）。著作権確認対象コンテンツ転送可否情報送信部２５では、ステップＳ２４０において記述したコンテンツ転送可否情報をコンテンツ転送装置３へ送信する（ステップＳ２５０）。
【００３６】
図６において、コンテンツ転送装置３は、初期状態では待機状態であり、別のコンテンツ転送装置３より著作権確認対象コンテンツが到着すると次のステップに入る（ステップＳ３００）。著作権確認対象コンテンツ受信部３１では、別のコンテンツ転送装置３より著作権確認対象コンテンツを受信する（ステップＳ３１０）。著作権確認対象特徴抽出部３２では、ステップＳ３１０において受信した著作権確認対象コンテンツより特徴データである著作権確認対象特徴を抽出する（ステップＳ３２０）。著作権確認対象特徴送信部３３では、ステップＳ３２０において抽出した著作権確認対象特徴を著作権確認装置２へ送信する（ステップＳ３３０）。
【００３７】
コンテンツ転送可否情報受信部３４では、ステップＳ３３０において送信した著作権確認対象特徴に対応して、著作権確認装置２からコンテンツ転送可否情報を受信する（ステップＳ３４０）。ここで、ステップＳ３４０において受信したコンテンツ転送可否情報が転送可を示していれば（ステップＳ３５０：ＹＥＳ）、次に進み、転送不可を示していれば（ステップＳ３５０：ＮＯ）、待機状態に戻る（ステップＳ３００）。コンテンツ転送可である場合（ステップＳ３５０：ＹＥＳ）、著作権確認対象コンテンツ送信部３５では、あらかじめ送信先として設定された他のコンテンツ転送装置３へ著作権確認対象コンテンツを送信し（ステップＳ３６０）、待機の状態に戻る（ステップＳ３００）。
【００３８】
以上により、著作権確認とコンテンツの転送を別々の装置で行い、効率的にコンテンツの著作権を確認しながらコンテンツを転送することが可能となる。
【００３９】
［第三の実施形態］
前述の第二の実施形態では、転送を行うたびに過去に著作権確認したコンテンツについても再度探索を行うため冗長であるという問題がある。そこで、第三の実施形態では、既に探索し著作権を確認したコンテンツについては電子署名により著作権確認を行い、過去に探索していないコンテンツのみ探索を行う。つまり、本実施形態では、第二の実施形態において、Ｐ２Ｐの転送全てにおいて同一のコンテンツの問い合わせが行われることを回避するため、既に探索したコンテンツをスキップして新規のコンテンツのみ探索する効率化を行うものである。
【００４０】
本実施形態による著作物権利確認装置の全体構成は、図３に示す第二の実施形態における著作権確認装置２を著作権確認装置４に、コンテンツ転送装置３をコンテンツ転送装置５に置き換えたものである。
【００４１】
図７は、本実施形態による著作権確認装置４及びコンテンツ転送装置５の構成を示す機能ブロック図である。
本実施形態では、著作権確認装置４とコンテンツ転送装置５が同図に示すように接続されている。著作権確認装置４は、著作権確認データベース特徴読込部４１と、著作権確認対象特徴受信部４２と、既探索コンテンツリスト受信部４３と、要探索コンテンツリスト作成部４４と、著作権確認データベース探索部４５と、コンテンツ転送可否判定部４６と、既探索コンテンツリスト更新部４７と、著作権確認対象コンテンツ転送可否情報送信部４８と、既探索コンテンツリスト送信部４９とで構成され、著作権確認データベース特徴および著作権を確認する対象のコンテンツから抽出された特徴データおよび既探索コンテンツリストおよびデータベース固有の鍵を入力とし、コンテンツ転送可否情報および既探索コンテンツリストを出力する。
【００４２】
コンテンツ転送装置５は、著作権確認対象コンテンツ受信部５１と、既探索コンテンツリスト受信部５２と、著作権確認対象特徴抽出部５３と、著作権確認対象特徴送信部５４と、既探索コンテンツリスト送信部５５と、コンテンツ転送可否情報受信部５６と、既探索コンテンツリスト受信部５７と、著作権確認対象コンテンツ送信部５８と、既探索コンテンツリスト送信部５９とで構成され、著作権を確認する対象のコンテンツおよびコンテンツ転送可否情報を入力とし、著作権確認対象コンテンツから抽出された特徴データおよび著作権確認対象コンテンツを出力する。
【００４３】
著作権確認装置４の著作権確認データベース特徴読込部４１は、権利者が既知のコンテンツからなるデータベース中のコンテンツから導かれた、当該コンテンツの特徴データである著作権確認データベース特徴を読み込む。著作権確認対象特徴受信部４２は、著作権を確認する対象のコンテンツから導かれた当該コンテンツの特徴データを受信する。既探索コンテンツリスト受信部４３は、過去に探索したデータベースの内容を示す既探索コンテンツリストを受信する。
【００４４】
要探索コンテンツリスト作成部４４は、前記著作権確認データベース内のコンテンツから前記既探索コンテンツリストのコンテンツを除いて、探索が必要なコンテンツのリストを作成する。著作権確認データベース探索部４５は、著作権確認対象特徴受信部４２から受信した特徴データを用いて、著作権確認データベース特徴読込部４１が読み込んだ著作権確認データベース特徴中の、探索が必要なコンテンツの特徴データを探索する。コンテンツ転送可否判定部４６は、著作権確認データベース探索部４５による探索結果に基づいてコンテンツの転送の可否を判定する。
【００４５】
既探索コンテンツリスト更新部４７は、既探索コンテンツリスト受信部４３が受信した既探索コンテンツリストに、新たに探索したコンテンツを加えて前記既探索コンテンツリストを更新する。著作権確認対象コンテンツ転送可否情報送信部４８は、コンテンツ転送可否判定部４６が判定した著作権確認対象コンテンツ転送可否を送信する。既探索コンテンツリスト送信部４９は、既探索コンテンツリスト更新部４７が更新した既探索コンテンツリストを送信する。
【００４６】
コンテンツ転送装置５の著作権確認対象コンテンツ受信部５１は、著作権を確認する対象のコンテンツを受信する。既探索コンテンツリスト受信部５２は、過去に探索したデータベースの内容を示す既探索コンテンツリストを受信する。著作権確認対象特徴抽出部５３は、著作権確認対象コンテンツ受信部５１が受信した著作権確認対象コンテンツから導かれた当該コンテンツの特徴データである著作権確認対象特徴を抽出する。著作権確認対象特徴送信部５４は、著作権確認対象特徴抽出部５３が抽出した著作権確認対象特徴データを送信する。既探索コンテンツリスト送信部５５は、既探索コンテンツリスト受信部５２が受信した既探索コンテンツリストを送信する。
【００４７】
コンテンツ転送可否情報受信部５６は、著作権確認装置４からコンテンツ転送可否情報を受信する。既探索コンテンツリスト受信部５７は、過去に探索したデータベースの内容を示す既探索コンテンツリストを著作権確認装置４から受信する。著作権確認対象コンテンツ送信部５８は、コンテンツ転送可否情報受信部５６が受信した転送可否情報に基づいてコンテンツを送信する。既探索コンテンツリスト送信部５９は、既探索コンテンツリスト受信部５７が受信した既探索コンテンツリストを送信する。
【００４８】
次に、上述した著作権確認装置４の著作権確認データベース特徴読込部４１〜既探索コンテンツリスト送信部４９およびコンテンツ転送装置５の著作権確認対象コンテンツ受信部５１〜既探索コンテンツリスト送信部５９における処理を具体的に説明する。図８は、本実施形態における著作権確認装置４の動作を示すフローチャート、図９は、本実施形態におけるコンテンツ転送装置５の動作を示すフローチャートである。
【００４９】
図８において、著作権確認装置４の著作権確認データベース特徴読込部４１では、権利者が既知のコンテンツからなるデータベースを備えるサーバなどから、当該コンテンツから導かれた著作権確認データベース特徴を読み込み（ステップＳ４００）、待機する（ステップＳ４１０）。この著作権確認データベース特徴で示される各特徴データには、どのコンテンツに対応した特徴データであるかを特定するコンテンツＩＤが対応付けられている。
【００５０】
著作権確認対象特徴受信部４２では、待機状態において、著作権を確認する対象のコンテンツである著作権確認対象コンテンツの著作権確認対象特徴をコンテンツ転送装置５より受信する（ステップＳ４２０）。既探索コンテンツリスト受信部４３では、コンテンツ転送装置５より、既に探索したコンテンツのリストを示した既探索コンテンツリストを受信する（ステップＳ４３０）。
【００５１】
図１０は、既探索コンテンツリストのデータ構成を、図１１は、データベースコンテンツリストのデータ構成を示す図である。既探索コンテンツリストは、図１０に示すように、データベースＩＤとシリアルナンバーと電子署名からなる。データベースＩＤは著作権確認装置４固有のＩＤであり、例えば、ドメイン名で表される。シリアルナンバーは、データベースの作成時期を表し、例えば、図１１に示すデータベースコンテンツリストのように、データベースに蓄積されている複数のコンテンツに対応している。なお、データベースコンテンツリストは、著作権確認装置４に蓄積されているコンテンツの特徴データのリストを示すものである。図１１の例では、シリアルナンバーとコンテンツ固有のＩＤであるコンテンツＩＤは、年・月・日・時間・分からなる時刻で表され、シリアルナンバーは、複数のコンテンツＩＤをまとめたものとして表現されている。また、電子署名は、そのデータベースＩＤとシリアルナンバーが正しいものであるかどうかを判定するために、後述の要探索コンテンツリスト作成部４４で利用される。本実施形態で用いる電子署名は、データベースＩＤとシリアルナンバーと特徴データを合わせたデータを平文としてデータベース固有の鍵である署名用データベース鍵で暗号化された暗号文が用いられる。また。ここで用いる暗号化方法は、公知の方法であるＭＤ５（Message Digest 5）を用いる。
【００５２】
要探索コンテンツリスト作成部４４では、まず、自身のデータベース固有の電子署名用の鍵である署名用データベース鍵を読み込む。次に、自身の備えるデータベースに含まれるコンテンツの特徴データ、すなわち、Ｓ４００において読み込んだ著作権確認対象特徴を示すデータベースコンテンツリストを読み込む。次に、このデータベースコンテンツリストに含まれるコンテンツＩＤの全てをリスト化したものを要探索コンテンツリストとする。要探索コンテンツリスト作成部４４は、受信した既探索コンテンツリストから自身のデータベースＩＤと同一のデータベースＩＤを探索し、対応する署名が正しいかどうか判定する。ここでの判定は、データベースＩＤとシリアルナンバーと受信した著作権確認対象特徴の特徴データを合わせたデータを平文として前記署名用データベース鍵を用いて暗号化し、その暗号文が電子署名と同一であるかどうかで判定する。同一のものであれば、シリアルナンバーに対応するコンテンツＩＤのコンテンツは既に探索されたものとし、前述の要探索コンテンツリストから対応するコンテンツＩＤを削除する。この処理を既探索コンテンツリストの全てについて行う（ステップＳ４４０）。
【００５３】
著作権確認データベース探索部４５では、コンテンツ転送装置５より受信した著作権確認対象特徴を用いて、著作権確認データベース特徴中の特徴データのうち、要探索コンテンツリストにより示されるコンテンツＩＤに対応した特徴データを探索し、同一の特徴を有する、すなわち、同一のコンテンツが存在するかどうか検出する（ステップＳ４５０）。コンテンツ転送可否判定部４６では、検出されたコンテンツがあれば、他に著作権者がいるものとみなし、転送不可を示すコンテンツ転送可否情報を記述し、検出されなければ、転送可を示すコンテンツ転送可否情報を記述する（ステップＳ４６０）。既探索コンテンツリスト更新部４７では、既探索コンテンツリストに、現在の自身のデータベースコンテンツリストに含まれるシリアルナンバーのうち、既探索コンテンツリストに含まれていないものを追加する（ステップＳ４７０）。追加するデータは、データベースＩＤとシリアルナンバーと電子署名である。電子署名は、データベースＩＤとシリアルナンバーと受信した著作権確認対象特徴の特徴データを合わせたデータを平文として署名用データベース鍵を用いて暗号化したものを用いる。なお、ここに示す暗号化手法以外の手法を用いるようにしてもよい。
【００５４】
著作権確認対象コンテンツ転送可否情報送信部４８では、ステップＳ４６０において記述したコンテンツ転送可否情報をコンテンツ転送装置５へ送信する（ステップＳ４８０）。既探索コンテンツリスト送信部４９では、ステップＳ４７０において更新した既探索コンテンツリストをコンテンツ転送装置５へ送信する（ステップＳ４９０）。
【００５５】
図９において、コンテンツ転送装置５は、初期状態では待機状態であり、別のコンテンツ転送装置５より著作権確認対象コンテンツが到着すると次のステップに入る（ステップＳ５００）。著作権確認対象コンテンツ受信部５１では、別のコンテンツ転送装置５より著作権確認対象コンテンツを受信する（ステップＳ５１０）。既探索コンテンツリスト受信部５２では、前記別のコンテンツ転送装置５より著作権確認対象コンテンツに対応する既探索コンテンツリストを受信する（ステップＳ５２０）。著作権確認対象特徴抽出部５３では、ステップＳ５１０において受信した著作権確認対象コンテンツより特徴データである著作権確認対象特徴を抽出する（ステップＳ５３０）。著作権確認対象特徴送信部５４では、ステップＳ５３０において抽出した著作権確認対象特徴を著作権確認装置４に送信する（ステップＳ５４０）。さらに、既探索コンテンツリスト送信部５５では、ステップＳ５２０において受信した既探索コンテンツリストを著作権確認装置４に送信する。
【００５６】
コンテンツ転送可否情報受信部５６では、著作権確認装置４から前記コンテンツ転送可否情報を受信する（ステップＳ５５０）。既探索コンテンツリスト受信部５７では、著作権確認装置４により更新された既探索コンテンツリストを受信する（ステップＳ５６０）。ここで、ステップＳ５５０において受信したコンテンツ転送可否情報が転送可を示していれば（ステップＳ５７０：ＹＥＳ）、次に進み、転送不可を示していれば（ステップＳ５７０：ＮＯ）、待機状態に戻る（ステップＳ５００）。コンテンツ転送可である場合（ステップＳ５７０：ＹＥＳ）、著作権確認対象コンテンツ送信部５８では、あらかじめ送信先として設定された他のコンテンツ転送装置５へ著作権確認対象コンテンツを送信し（ステップＳ５８０）、待機の状態に戻る（ステップＳ５００）。さらに、既探索コンテンツリスト送信部５９では、ステップＳ５６０において受信した既探索コンテンツリストを、前記他のコンテンツ転送装置５へ送信し、待機状態に戻る。
【００５７】
以上により、過去の探索したコンテンツについては電子署名により著作権確認を行うことで、効率的にコンテンツの著作権を確認しながらコンテンツを転送することが可能となる。
【００５８】
上述した本発明の実施形態によれば、インターネットでウェブやメールを通じて交換されるファイルが適正なデータであることを確認する。そのようなファイルに対して著作権確認装置が、音や映像の信号を探索し著作権データベース中に同一のコンテンツがあるかどうかを確認してコンテンツの違法性をチェックする。このようなチェックを行うことで、キーワード検索の際に中身とはまったく関係のない名称に変えることで検索されることを免れてきた違法な音・映像のファイルも漏れなく検出することができ、インターネット上のウェブやメールを通じて交換されるファイルがオリジナルコンテンツであり権利侵害性がないことを確認し流通させることができる。特に著作権が管理されないことで問題となってきたＰ２Ｐによるファイル交換を管理することができる。また電子透かしによってデータを特定する場合は、ダビングを重ねることで電子透かしが失われてしまい、著作権侵害に該当するデータの特定ができないという問題点があったのに対して、メディア探索の技術を用いた音の照合による不正データの特定では、ダビングによる磨耗といった問題点がないので、一定の精度を保つことができる。また、既に探索したコンテンツのリストを作成しながら、コンテンツを転送し、そのリストを除くコンテンツのみを探索して著作権のチェックを行うことで、効果的な著作権チェックを行うことが可能となる。
【００５９】
なお、上述の著作権確認装置１、２、４、及び、コンテンツ転送装置３、５は、内部にコンピュータシステムを有している。そして、上述した著作権確認装置１の著作権確認データベース特徴読込部１１、著作権確認対象コンテンツ受信部１２、著作権確認対象特徴抽出部１３、著作権確認データベース探索部１４、コンテンツ転送可否判定部１５、及び、著作権確認対象コンテンツ送信部１６、著作権確認装置２の著作権確認データベース特徴読込部２１、著作権確認対象特徴受信部２２、著作権確認データベース探索部２３、コンテンツ転送可否判定部２４、及び、著作権確認対象コンテンツ転送可否情報送信部２５、著作権確認装置４の著作権確認データベース特徴読込部４１、著作権確認対象特徴受信部４２、既探索コンテンツリスト受信部４３、要探索コンテンツリスト作成部４４、著作権確認データベース探索部４５、コンテンツ転送可否判定部４６、既探索コンテンツリスト更新部４７、著作権確認対象コンテンツ転送可否情報送信部４８、及び、既探索コンテンツリスト送信部４９、コンテンツ転送装置３の著作権確認対象コンテンツ受信部３１、著作権確認対象特徴抽出部３２、著作権確認対象特徴送信部３３、コンテンツ転送可否情報受信部３４、及び、著作権確認対象コンテンツ送信部３５、ならびに、コンテンツ転送装置５の著作権確認対象コンテンツ受信部５１、既探索コンテンツリスト受信部５２、著作権確認対象特徴抽出部５３、著作権確認対象特徴送信部５４、既探索コンテンツリスト送信部５５、コンテンツ転送可否情報受信部５６、既探索コンテンツリスト受信部５７、著作権確認対象コンテンツ送信部５８、及び、既探索コンテンツリスト送信部５９の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００６０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００６１】
【図１】本発明の第一の実施形態による著作物権利確認装置としての著作権確認装置の構成図である。
【図２】第一の実施形態による著作権確認装置の動作を示すフローチャートである。
【図３】本発明の第二の実施形態による著作物権利確認装置の接続構成図である。
【図４】第二の実施形態による著作権確認装置及びコンテンツ転送装置の構成を示す機能ブロック図である。
【図５】第二の実施形態による著作権確認装置の動作を示すフローチャートである。
【図６】第二の実施形態によるコンテンツ転送装置の動作を示すフローチャートである。
【図７】本発明の第三の実施形態による著作権確認装置及びコンテンツ転送装置の構成を示す機能ブロック図である。
【図８】第三の実施形態による著作権確認装置の動作を示すフローチャートである。
【図９】第三の実施形態によるコンテンツ転送装置の動作を示すフローチャートである。
【図１０】第三の実施形態による既探索コンテンツリストのデータ構成を示す図である。
【図１１】第三の実施形態によるデータベースコンテンツリストのデータ構成を示す図である。
【符号の説明】
【００６２】
１、２、４…著作権確認装置
３、３ａ、３ｂ、３ｃ、５…コンテンツ転送装置
１１、２１、４１…著作権確認データベース特徴読込部
１２、３１、５１…著作権確認対象コンテンツ受信部
１３、３２、５３…著作権確認対象特徴抽出部
１４、２３、４５…著作権確認データベース探索部
１５、２４、４６…コンテンツ転送可否判定部
１６、３５、５８…著作権確認対象コンテンツ送信部
２２、４２…著作権確認対象特徴受信部
２５、４８…著作権確認対象コンテンツ転送可否情報送信部
３３、５４…著作権確認対象特徴送信部
３４、５６…コンテンツ転送可否情報受信部
４３、５２、５７…既探索コンテンツリスト受信部
４４…要探索コンテンツリスト作成部
４７…既探索コンテンツリスト更新部
４９、５５、５９…既探索コンテンツリスト送信部
【図１】
2008217572.tif 000003
【図２】
2008217572.tif 000004
【図３】
2008217572.tif 000005
【図４】
2008217572.tif 000006
【図５】
2008217572.tif 000007
【図６】
2008217572.tif 000008
【図７】
2008217572.tif 000009
【図８】
2008217572.tif 000010
【図９】
2008217572.tif 000011
【図１０】
2008217572.tif 000012
【図１１】
2008217572.tif 000013